(57)【要約】【課題】  液晶表示パネルの位置決めを正確に行うと共に、非表示領域の面積が小さく液晶表示装置本体の外形寸法に対して表示領域の大きな液晶表示装置を提供すること。【解決手段】  液晶表示パネル１と、前記液晶表示パネル１を保持する複数の枠片１１ａ〜１１ｄからなる額縁状の保持ケース１０とを備える液晶表示装置であって、前記枠片１１ａ〜１１ｄの内側には、前記液晶表示パネル１の周辺部が載置される載置台１２が形成され、前記載置台１２の前記液晶表示パネル１が載置される面の各周辺から垂直に側壁１４ａ〜１４ｄが前記液晶表示パネル１の側面と当接するように立設され、前記載置台１２には前記側壁１４ａ〜１４ｄが立設された位置に近接する内側に中抜き部２１ａ、２１ｂからなる弾性部２０ａ、２０ｂが形成されている。【選択図】      図１
2006258887.tif 000002
【特許請求の範囲】
【請求項１】
液晶表示パネルと、前記液晶表示パネルを保持する複数の枠片からなる額縁状の保持ケースとを備える液晶表示装置であって、
前記枠片の内側には、前記液晶表示パネルの周辺部が載置される載置台が形成され、前記載置台の前記液晶表示パネルが載置される面の各周辺から垂直に側壁が前記液晶表示パネルの側面と当接するように立設され、前記載置台には前記側壁が立設された位置に近接する内側に中抜き構造からなる弾性構造が形成されていることを特徴とする液晶表示装置。
【請求項２】
前記弾性構造は、前記複数の枠片のうち一方の隣り合う２辺に設けられていることを特徴とする請求項１に記載の液晶表示装置。
【請求項３】
前記側壁は、その内側側面に前記液晶表示パネルの側面を押圧するための１乃至複数個の突起が設けられていることを特徴とする請求項１又は２に記載の液晶表示装置。
【請求項４】
前記中抜き構造に面する前記側壁の側面には、前記載置台と同じ高さで前記液晶表示パネルの周辺部が載置される突起状の保持台が設けられていることを特徴とする請求項１又は２に記載の液晶表示装置。
【請求項５】
前記液晶表示パネルは、この液晶表示パネルの一方の隣り合う２辺が前記枠片のうち前記弾性構造が設けられていない２辺の側壁に当接した状態で、また、前記液晶表示パネルの他の隣り合う２辺が前記枠片のうち前記弾性構造が設けられている２辺の側壁により押圧された状態で、前記保持ケース内に固定されていることを特徴とする請求項２に記載の液晶表示装置。
【請求項６】
前記弾性構造が設けられた枠片に立設された側壁の少なくとも１方の外側には、別の中抜き構造を介して保護壁が設けられていることを特徴とする請求項１〜５の何れか１項に記載の液晶表示装置。
【発明の詳細な説明】
【技術分野】
【０００１】
本発明は液晶表示装置に係り、特に液晶表示パネルを保持する保持ケースの形状を工夫することにより、非表示領域を小さくし、以って液晶表示装置本体の外形寸法に対する表示領域を大きくした液晶表示装置に関する。
【背景技術】
【０００２】
従来から液晶表示装置における液晶表示パネルは、外周部を樹脂製の保持ケースにより固定されて、背面ケース及び前面枠内に収納されている。この液晶表示パネルは、その表示領域が前面枠の表示窓に正確に位置するように保持ケースにより位置決めが行われている。
【０００３】
この保持ケースは、樹脂により形成されていることから使用環境の温度変化による伸縮を考慮してクリアランスが設けられるが、組み付け後に振動等の何らかの外的要因により液晶表示パネルが動き、この液晶表示パネルの表示領域が前面枠の表示窓からずれてしまうことがあった。しかしながらこのような問題点を解決する方法は既に種々考案されており、特許公報にも紹介されている（例えば特許文献１、２参照）。
【０００４】
図６は特許文献１に開示されている表示パネル保持枠を示す平面図であり、また、図７は特許文献２に開示されている表示装置を示す図であり、図７（ａ）は要部斜視図、図７（ｂ）は断面図である。
【０００５】
下記特許文献１に開示されている液晶パネル保持枠１０１は、図６に示すように、画像を表示する液晶パネルを支持するパネル固定板１０２と、該パネル固定板１０２を支持する支持部材１０３（またはケース）と、前記パネル固定板１０２の端部と支持部材１０３の開口部とを接合する弾性部材１０６とから構成されている。そして、前記弾性部材１０６の形状は、例えば長円形１０７の中抜き形状にして、負荷時の変形により追従し易い形状にしている。これにより、下記特許文献１に開示されている液晶パネル保持枠１０１は、弾性部材に充分な弾性を得ることができ、液晶パネルに加わる衝撃や振動を緩和することができるものである。
【０００６】
また、下記特許文献２に開示されている液晶表示装置１５０は、図７に示すように、液晶パネル、プラズマディスプレイパネル等の表示パネル１５２を装置筐体１５８に固定して形成される。装置筐体１５８は上下カバー１８１、１８２を連結して形成され、上カバー１８１には表示パネル１５２の表示領域にほぼ合致した大きさの表示窓１８０が開設される。筐体１５８への取り付け状態において、表示パネル１５２はばね受け部１６１に設けられた板ばね１５３の弾性復元力によりねじ受け部１６０に設けられた調整ねじ１５４側に付勢されており、調整ねじ１５４の軸部先端と板ばね１５３により側壁が挟まれた状態で所定姿勢で保持される。この状態で点灯試験を行い、表示パネル１５２の表示領域が上カバー１８１の表示窓１８０からずれている場合には、調整ねじ１５４を調整して表示パネル１５２の位置を調整することができる。以上の構成により、下記特許文献２に開示されている液晶表示装置は簡単な構造で表示パネルの位置ずれを調整することができるために、製造効率を向上させることができる。
【特許文献１】特開平９−５７２２号公報（段落［００１０］〜［００１１］、［００１６］）
【特許文献２】特開平１１−１９０９７４号公報（段落［０００９］、［００１１］、［００１７］）
【発明の開示】
【発明が解決しようとする課題】
【０００７】
しかしながら、上記特許文献１、２に開示されている従来技術においては、保持ケースあるいは板ばね及び調整ねじが液晶表示パネルに対して同一平面上に位置することから、液晶表示パネルの外周部を覆う額縁状の非表示領域の面積が大きくなり、液晶表示装置自体の大きさも大きくなってしまう。この問題は液晶表示装置の設置面積が限定される、例えば車載用として使用される場合には、液晶表示装置の表示領域を大きくとることができないことから特に問題となっている。
【０００８】
本発明者らは上記問題点に鑑み、液晶表示パネルの位置決めを正確に行うことができ、且つ液晶表示装置自体の非表示領域が小さい液晶表示装置を得るべく種々検討した結果、保持ケースを液晶表示パネルと異なる平面上に配置し、この保持ケースに側壁を設けて、この側壁により液晶表示パネルを保持すれば、上記問題点は全て解消されることを見出し、本発明に至ったものである。
【０００９】
すなわち、本発明の目的は、液晶表示パネルの位置決めを正確に行うと共に、非表示領域の面積が小さく、液晶表示装置本体の外形寸法に対して表示領域の大きな液晶表示装置を提供することである。
【課題を解決するための手段】
【００１０】
上記目的を達成するために、本発明の請求項１に記載の液晶表示装置は、液晶表示パネルと、前記液晶表示パネルを保持する複数の枠片からなる額縁状の保持ケースとを備える液晶表示装置であって、
前記枠片の内側には、前記液晶表示パネルの周辺部が載置される載置台が形成され、前記載置台の前記液晶表示パネルが載置される面の各周辺から垂直に側壁が前記液晶表示パネルの側面と当接するように立設され、前記載置台には前記側壁が立設された位置に近接する内側に中抜き構造からなる弾性構造が形成されていることを特徴とする。
【００１１】
また、請求項２に記載の発明は、請求項１に記載の液晶表示装置に係り、前記弾性構造は、前記複数の枠片のうち一方の隣り合う２辺に設けられていることを特徴とする。
【００１２】
また、請求項３に記載の発明は、請求項１又は２に記載の液晶表示装置に係り、前記側壁は、その内側側面に前記液晶表示パネルの側面を押圧するための１乃至複数個の突起が設けられていることを特徴とする
また、請求項４に記載の発明は、請求項１又は２に記載の液晶表示装置に係り、前記中抜き構造に面する前記側壁の側面には、前記載置台と同じ高さで前記液晶表示パネルの周辺部が載置される突起状の保持台が設けられていることを特徴とする。
【００１３】
また、請求項５に記載の発明は、請求項２に記載の液晶表示装置に係り、前記液晶表示パネルは、この液晶表示パネルの一方の隣り合う２辺が前記枠片のうち前記弾性構造が設けられていない２辺の側壁に当接した状態で、また、前記液晶表示パネルの他の隣り合う２辺が前記枠片のうち前記弾性構造が設けられている２辺の側壁により押圧された状態で、前記保持ケース内に固定されていることを特徴とする。
【００１４】
また、請求項６に記載の発明は、請求項１〜５の何れか１項に記載の液晶表示装置に係り、前記弾性構造が設けられた枠片に立設された側壁の少なくとも１方の外側には、別の中抜き構造を介して保護壁が設けられていることを特徴とする。
【発明の効果】
【００１５】
本発明は上記構成を備えることにより、以下に示す優れた効果を奏する。すなわち、請求項１の発明によれば、液晶表示装置において、保持ケースの内側に液晶表示パネルの周辺部が載置される載置台が形成され、液晶表示パネルの側面に当接するように側壁が立設され、載置台には前記側壁が立設された位置に近接する内側に中抜き構造からなる弾性構造が形成されていることにより、液晶表示パネルを側壁により押圧することで液晶表示パネルが固定され、位置ずれを防ぐことができると共に、液晶表示パネルの同一平面上には側壁のみが設けられており、弾性構造は載置台に設けられた中抜き構造により達成されるため、液晶表示パネルの外周囲を囲む枠部分（非表示領域）に弾性構造を設けることなく、以ってその枠部分の面積を小さくでき、例えば車載用の液晶表示装置のように、その設置面積が限られている場合であっても広い表示面積を確保することができる液晶表示装置を提供できる。
【００１６】
また、請求項２の発明は、弾性構造が枠片の一方の隣り合う２辺にのみ設けるようにしても、請求項１に記載の効果を奏することができ、よって保持ケースの加工を行う際の工数を省略できる。
【００１７】
また、請求項３の発明は、側壁の内側側面に突起を設けることにより、液晶表示パネルをこの突起で押圧するようになるため、液晶表示パネルを側壁全体で押圧するより強固に固定することができる。
【００１８】
また、請求項４の発明は、弾性構造を備える側壁の内側の突起状の保持台により、側壁自体の物理的な強度を向上させることができる。
【００１９】
また、請求項５の発明は、液晶表示パネルの一方の隣り合う２辺が弾性構造が設けられていない枠片の側壁に当接し、液晶表示パネルの他の隣り合う２辺が弾性構造が設けられている枠片の側壁により押圧されて保持ケース内に固定されているので、この弾性構造が設けられている枠片の側壁を外側へ変形させることにより液晶表示パネルの取り付け及び取り外しを容易に行うことができる。
【００２０】
また、請求項６の発明は、弾性構造が設けられた枠片の側壁のうち少なくとも１方の外側に中抜き構造を介して保護壁が設けられることにより、この保護壁により外部からの衝撃を液晶表示パネルに伝わりにくくできると共に、側壁が中抜き構造により囲まれるため、この側壁の変形に対する障害がなく、側壁により固定される液晶表示パネルをより柔軟に固定することができる。
【発明を実施するための最良の形態】
【００２１】
以下、図面を参照して本発明の最良の実施形態を説明する。但し、以下に示す実施形態は、本発明の技術思想を具体化するための液晶表示装置を例示するものであって、本発明をこれらに特定することを意図するものではなく、特許請求の範囲に含まれるその他の実施形態のものも等しく適応し得るものである。
【実施例】
【００２２】
図１は本発明の一実施例における液晶表示装置の保持ケースを示す平面図、図２は保持ケースの各部を拡大して示し、図２（ａ）は図１のＡ部を拡大して示す要部拡大図、図２（ｂ）は図１のＢ部を拡大して示す要部拡大図、図３は保持ケースの断面図を示し、図３（ａ）は図２のＣ−Ｃ断面図、図３（ｂ）は図２のＤ−Ｄ断面図、図４は保持ケースに液晶表示パネルが装着された状態を示す平面図、図５は図４のＥ−Ｅ断面図である。
【００２３】
本発明の液晶表示装置は、少なくとも液晶表示パネル１、バックライトユニット、背面ケース及び前面枠を備えている。ただしこれらは公知のものを使用するためここでは説明を省略し、以下にはこの液晶表示装置に用いられる保持ケース１０についてのみ説明を行う。
【００２４】
保持ケース１０は、図１に示すように、複数（ここでは４本）の枠片１１ａ〜１１ｄから構成されており、この枠片１１ａ〜１１ｄは一対の長辺１１ａ、１１ｃと、同じく一対の短辺１１ｂ、１１ｄとからなり、額縁状の枠体を形成している。これらは弾性を有する樹脂材から形成され、中央部はバックライトユニット（図示省略）からの光を液晶表示パネル１へ照射するための窓１３となっている。前記枠片１１ａ〜１１ｄの内側部分には、液晶表示パネル１の周辺部が載置される載置台１２が額縁状に形成され、前記載置台１２には、この載置台１２上に載置される液晶表示パネル１を囲む大きさで、この載置台１２を囲むように側壁１４ａ〜１４ｄが垂直に立設されている。この側壁１４ａ〜１４ｄは液晶表示パネル１を確実に固定できる高さに設定されており、また、この側壁１４ａ〜１４ｄの長さは液晶表示パネル１を安定に固定可能な長さに適宜設定され、その肉厚は液晶表示パネル１を固定するのに十分な程度に肉薄に形成されている。
【００２５】
また、前記枠片１１ａ〜１１ｄの内、短辺１１ｂは、液晶表示パネル１が載置された際に液晶表示パネル１の配線基板（図示省略）が位置するため、その外側側面に前記配線基板の幅とほぼ同じ幅の切り欠き１５が設けられている。さらに、一対の長辺１１ａ、１１ｃの外側には、この保持ケース１０を液晶表示装置内に固定した際に、液晶表示パネル１を外部からの衝撃等から保護するための保護壁１６ａ、１６ｃが設けられており、この保護壁１６ａ、１６ｃは前記側壁１４ａ〜１４ｄよりも高く、且つ幅広に設けられている。
【００２６】
次に、この保持ケース１０の一方の長辺１１ａ及び一方の短辺１１ｂの構造について、図１〜図３を参照して説明する。
【００２７】
保持ケース１０の枠片１１ａ〜１１ｄのうち、一方の長辺１１ａ及び一方の短辺１１ｂには、図１〜図３に示すように、それぞれ液晶表示パネル１の取付けを行うための弾性部２０ａ、２０ｂが設けられている。この弾性部２０ａ、２０ｂは、ほぼ同じ構成を有しているため、以下には代表して短辺１１ｂの弾性部２０ｂについて説明する。弾性部２０ｂは、図２（ａ）にその一部を拡大して示すように、枠片１１ｂの載置台１２には、側壁１４ｂが立設された位置に近接する内側に中抜き部２１ｂが設けられ、且つ前記側壁１４ｂの外側部分は切り欠き１５となっており、その結果この側壁１４ｂが他の部分より水平方向に対して比較的高い弾性を有している。なお、長辺１１ａの弾性部２０ａは、図２（ｂ）に示すように、同じく載置台１２上の側壁１４ａが立設された位置に近接する内側に中抜き部２１ａが設けられ、且つこの側壁１４ａと保護壁１６ａとの間に別の中抜き部２１ａ’が形成されていることにより、側壁１４ａが水平方向に対して比較的高い弾性を備えるものである。なお、図１〜図２では中抜き部２１ａ、２１ｂ、２１ａ’を分かりやすく示すためにハッチングを付している。
【００２８】
また、図２（ａ）及び図３に示すように、側壁１４ｂ（１４ａ）には液晶表示パネル１をより大きな弾性力で押圧固定するための突起２２ｂ、２２ｂ（２２ａ、２２ａ）が側壁１４ｂ（１４ａ）の内側に設けられている。この突起２２ｂ、２２ｂ（２２ａ、２２ａ）は所定数、例えば４個（図２（ａ）にはそのうちの２個のみ示す。）所定間隔を空けて設けられており、側壁１４ｂ（１４ａ）に一体成形されている。さらに、前記側壁１４ｂ（１４ａ）にはその内側側面から、近接する載置台１２と同じ高さで、液晶表示パネル１の周辺部が載置される半円状の保持台２３ｂ（２３ａ）が設けられており、この保持台２３ｂ（２３ａ）が側壁１４ｂ（１４ａ）に一体成形されることにより弾性部２０ｂ（２０ａ）自体の強度を向上させている。なお、中抜き部２１ｂ（２１ａ）は前記保持台２３ｂ（２３ａ）の形状に合わせてその一部が半円状に湾曲している。
【００２９】
上述の構成を有する保持ケース１０において、液晶表示パネル１が載置される工程を図４、図５を用いて説明する。
【００３０】
この保持ケース１０に載置される液晶表示パネル１は、少なくとも大きさの異なる一対の基板２ａ、２ｂの間に液晶が封入され、シール材により貼り合わされ、前記基板の内、一方の基板２ｂ上には、前記液晶を駆動する透明電極の制御を行うＩＣチップ３が実装されたものである。保持ケース１０に液晶表示パネル１を取り付ける場合、先ず長辺１１ｃと短辺１１ｄとが交わる交点部分の載置台１２上に液晶表示パネル１の角部を載置する。そしてこの角部を載置した状態で、この角部の反対側に位置する基板２ｂの２辺を弾性部２０ａ、２０ｂの突起２２ａ、２２ｂを外側へ押圧しながら押し込むことで固定される。
【００３１】
このようにして保持ケース１０に固定された液晶表示パネル１は、図４に示すように、その外周縁が保持ケース１０の一方の２辺１１ｃ、１１ｄの各側壁１４ｃ、１４ｄと、他方の２辺１１ａ、１１ｂの各側壁１４ａ、１４ｂに設けられた複数個の突起２２ａ、２２ｂに当接しており、図５に示すように、突起２２ｂ（２２ａ）に当接することで、弾性部２０ｂ（２０ａ）の弾性力により側壁１４ｃ、１４ｄと突起２２ａ、２２ｂに挟持された状態で固定される。
【００３２】
上記構成により、本発明の液晶表示装置の保持ケース１０は、液晶表示パネル１を弾性部２０ａ、２０ｂにより押圧固定することにより、外部から振動等が発生してもガタが生じることがなく、元の位置に復帰できる。また、液晶表示パネル１の同一平面上には側壁１４ａ〜１４ｄのみが設けられ、弾性構造は液晶表示パネル１が載置された載置台１２に中抜き部２１ａ、２１ｂを設けることにより形成されるため、液晶表示パネル１の外周囲に弾性構造がなく、さらに弾性構造自体が液晶表示パネル１の周辺部と重なる位置に設けられているために、液晶表示装置の外形寸法に対して表示領域を大きく取ることのできる液晶表示装置を得ることができる。
【図面の簡単な説明】
【００３３】
【図１】図１は本発明の一実施例における液晶表示装置の保持ケースを示す平面図、
【図２】図２は保持ケースの各部を拡大して示し、図２（ａ）は図１のＡ部を拡大して示す要部拡大図、図２（ｂ）は図１のＢ部を拡大して示す要部拡大図、
【図３】図３は保持ケースの断面図を示し、図３（ａ）は図２のＣ−Ｃ断面図、図３（ｂ）は図２のＤ−Ｄ断面図、
【図４】図４は保持ケースに液晶表示パネルが装着された状態を示す平面図、
【図５】図５は図４のＥ−Ｅ断面図、
【図６】図６は従来技術の表示パネル保持枠を示す平面図、
【図７】図７は従来技術の表示装置を示す図であり、図７（ａ）は要部斜視図、図７（ｂ）は断面図。
【符号の説明】
【００３４】
１              液晶表示パネル
１０            保持ケース
１１ａ、１１ｃ  長辺（枠片）
１１ｂ、１１ｄ  短辺（枠片）
１２            載置台
１３            窓
１４ａ〜１４ｄ  側壁
１５            切り欠き
１６ａ、１６ｃ  保護壁
２０ａ、２０ｂ  弾性部
２１ａ、２１ｂ  中抜き部
２１ａ’        中抜き部
２２ａ、２２ｂ  突起
２３ａ、２３ｂ  保持台
【図１】
2006258887.tif 000003
【図２】
2006258887.tif 000004
【図３】
2006258887.tif 000005
【図４】
2006258887.tif 000006
【図５】
2006258887.tif 000007
【図６】
2006258887.tif 000008
【図７】
2006258887.tif 000009